(57)【特許請求の範囲】
【請求項１】
直進溝の形成された直進ガイド部材と、カム溝の形成されたカム部材と、前記直進溝に係合する溝方向に延出したキー部及び前記カム溝に係合するコロ部とを備えたカムフォロアと、前記直進ガイド部材と前記カム部材の相対移動により前記カムフォロアを介して光軸方向に移動する直進筒と、を備えたレンズ鏡筒において、
前記カムフォロアのコロ部の当接面と前記直進筒とが当接して前記カムフォロアと前記直進筒とが締結されており、該当接面の外形のうち少なくとも一部は前記カム溝に内接する円よりも大きいことを特徴とするレンズ鏡筒。
【請求項２】
前記当接面に垂直な方向から見たときの前記キー部の面積は、前記当接面の面積よりも大きいことを特徴とする請求項１に記載のレンズ鏡筒。
【請求項３】
前記カム溝は、前記直進溝に対する交角が最大値と最小値の間で範囲をもち、前記当接面の外形は、前記範囲での各交角における前記カム溝の軌跡を重ねて形成される境界に沿う形状であることを特徴とする請求項１または２に記載のレンズ鏡筒。
【請求項４】
前記当接面は粗面であることを特徴とする請求項１乃至３のいずれか１項に記載のレンズ鏡筒。
【請求項５】
前記当接面の表面には、突起が設けられていることを特徴とする請求項１乃至３のいずれか１項に記載のレンズ鏡筒。
【請求項６】
前記カムフォロアと前記直進筒とは１本のネジにより締結されることを特徴とする請求項１乃至５のいずれか１項に記載のレンズ鏡筒。
【請求項７】
請求項１乃至６のいずれか１項に記載のレンズ鏡筒を有することを特徴とするカメラ装置。
【発明の詳細な説明】
【技術分野】
【０００１】
本発明はレンズ鏡筒およびカメラ装置に関するものであり、さらに詳しくは繰り出し式レンズ鏡筒に用いられるカムフォロアの倒れ防止及びカムフォロアの初期状態からの回転を防止するのに好適な構造に関するものである。
【背景技術】
【０００２】
光軸方向にレンズを保持したレンズ保持筒を移動させる機構の一つに、カム部材と直進ガイド部材を用いる構造が知られている。即ち双方の相対回転をカムフォロアを介することで直進運動に変換し、レンズ保持筒を光軸方向に移動させるものが知られている（例えば、特許文献１参照）。
【０００３】
その構成を具体的に説明すると、まずカム部材のカム溝に係合するコロ部（円筒コロ）と直進ガイド部材の直進溝に係合するキー部とを備えるカムフォロア、カムフォロアが取付けられるレンズを保持する直進筒、そして直進ガイド部材から構成される。
【０００４】
上記の構成においてカム部材が光軸周りで回転すると、カム溝に従って直進筒は光軸方向に駆動される。
【０００５】
加えて、直進筒は直進ガイド部材の直進溝に従ってガイドされるため、結果的にカム部材の回転により直進筒は直進溝方向に駆動される。
【０００６】
このようなレンズ鏡筒においてはキー部が直進溝方向に距離をもって係合するため、コロ部が直進溝に係合する場合に比べ衝撃や静圧に対する強度が高い。
【０００７】
ただし、カムフォロアと直進筒の当接する当接面の摩擦力が小さい場合には、衝撃や静圧がレンズ鏡筒に作用した場合にカムフォロアと直進筒の位置関係が初期状態から崩れる。
【０００８】
この結果、レンズを保持する直進筒の位置が設計値から外れてしまい、光学性能が劣化する場合がある。
【０００９】
加えて、カムフォロアと直進筒の当接する当接面の面積が小さいとネジ締め等の締結時に食い込みが生じ直進筒に対してカムフォロアが倒れることで、直進溝方向に延出したキー部と他部材が干渉することがある。
【００１０】
これに対して、特許文献２ではカムフォロア又はレンズ保持枠の片方に光軸方向へ伸びる凸部、もう一方に凹部を形成し、光軸方向にスライドして嵌合させることでカムフォロアの倒れや回転を防止する機構を有したレンズ鏡筒を提案している。
【００１１】
また、特許文献３では、弾性アームを介して取付けられたカムフォロアが光軸周りに回転しないようにガイド部材を設けることでカムフォロアの倒れや回転を防止する機構を有したレンズ鏡筒を提案している。
【特許文献１】特開２０００−１９４０４６号公報
【特許文献２】特開２００４−１１７３９８号公報
【特許文献３】特開２０００−１９３８７２号公報
【発明の開示】
【発明が解決しようとする課題】
【００１２】
特許文献２で開示されているレンズ鏡筒では、直進筒（レンズ保持枠）に対するカムフォロアの回転及び倒れを規制することが出来る。ただし、特許文献２のレンズ鏡筒はカムフォロアと直進ガイド部材の関係（位置決め）がレンズ保持枠に設けた凸部と凹部で決定されるため、直進溝等の等分差を考慮するとカムフォロアのキー部（カムフォロア本体）と直進溝の係合が不十分になる可能性がある。また、凸部と凹部の嵌合ガタ分はカムフォロアの倒れと回転が生じる場合がある。
【００１３】
特許文献３で開示されているレンズ鏡筒では、カムフォロアを直進筒に取付けた後にガイド部材を取付けられるので、組み付け前に関係が決まることがなく好ましい。ただし、ガイド部材とカムフォロアに嵌合ガタがあると光学性能が低下してくる。又、ガイド部材が別部材であるため、構成が複雑になる傾向がある。
【００１４】
本発明はレンズを保持し、光軸方向に移動する直進筒を、それに設けたカムフォロアを介してカム溝に沿って移動するとき、カムフォロアの倒れや回転を防止することができ、直進筒を高精度に移動することができるレンズ鏡筒およびカメラ装置の提供を目的とする。
【課題を解決するための手段】
【００１５】
本発明のレンズ鏡筒は、直進溝の形成された直進ガイド部材と、カム溝の形成されたカム部材と、前記直進溝に係合する溝方向に延出したキー部及び前記カム溝に係合するコロ部とを備えたカムフォロアと、前記直進ガイド部材と前記カム部材の相対移動により前記カムフォロアを介して光軸方向に移動する直進筒と、を備えたレンズ鏡筒において、前記カムフォロアのコロ部の当接面と前記直進筒とが当接して前記カムフォロアと前記直進筒とが締結されており、該当接面の外形のうち少なくとも一部は前記カム溝に内接する円よりも大きいことを特徴とする。
また上記レンズ鏡筒を有するカメラ装置も本発明の他の一側面を構成する。
【発明の効果】
【００１６】
本発明によれば、レンズを保持し、光軸方向に移動する直進筒を、それに設けたカムフォロアを介してカム溝に沿って移動するとき、カムフォロアの倒れや回転を防止することができ、直進筒を高精度に移動することができるレンズ鏡筒およびカメラ装置が得られる。
【発明を実施するための最良の形態】
【００１７】
以下、本発明の実施例について図面を参照しながら説明する。
【実施例１】
【００１８】
図１は本発明のレンズ鏡筒をレンズ交換式デジタル一眼レフカメラ（カメラ装置）に適用したときの実施例１の要部断面図である。
【００１９】
図１では、レンズ光軸（撮影光軸）ＡＸＬの方向をＺ方向とし、レンズ光軸ＡＸＬに対して直交する方向であって、撮像面に平行な２方向のうち横方向をＸ方向、縦方向をＹ方向としている。
【００２０】
１はカメラボディ（以下、単にカメラという）、２はカメラ１に装着された交換レンズである。まず、カメラ１の構造について説明する。図１で示した状態において、メインミラー３は交換レンズ２からの光束の光路上に配置され、その光束の一部を反射してファインダ光学系（７、８）に導き、かつ残りの光束を透過させる。
【００２１】
メインミラー３の背後にはサブミラー４が配置されており、メインミラー３を透過した光束を反射して焦点検出ユニット５に導く。なお、メインミラー３およびサブミラー４は不図示の駆動機構により上記光路から退避することが可能となっている。
【００２２】
焦点検出ユニット５はＡＦセンサを有し、いわゆる位相差検出方式での焦点検出（交換レンズ２の焦点状態の検出）を行う機能を持つ。
【００２３】
ＡＦセンサは、入射した光束を２つに分割するセパレータレンズと、各分割光束を再結像させる２つのコンデンサレンズと、結像した２つの被写体像をそれぞれ光電変換するＣＣＤセンサ等のラインセンサ等から構成される。なお、ラインセンサは、被写体の縦方向（Ｙ方向）と横方向（Ｘ方向）の像位置を検出するよう十字型に配置されている。
【００２４】
６はＣＣＤセンサ又はＣＭＯＳセンサにより構成される撮像素子であり、この撮像素子６の受光面（撮像面）上には交換レンズ２からの光束（像）が結像する。撮像素子６は、結像した被写体像を光電変換し、撮像信号を出力する。また、不図示の電子制御式フォーカルプレーンシャッタにより撮像素子６の露光量を制御する。
【００２５】
ファインダ光学系は、ペンタプリズム７と、接眼レンズ８とを有している。
【００２６】
９はディスプレイパネルであり、撮像素子６の信号を入力とした不図示の信号処理部から出力される画像やその他様々な撮影情報を表示する機能を持つ。
【００２７】
交換レンズ２は被写体側から順に、フォーカス及び変倍レンズとしての第１レンズユニット１００、防振レンズとしての第２レンズユニット１０１、変倍レンズとしての第３、第４レンズユニット１０２、１０３を有している。また、絞りユニット１０４は第３レンズユニット１０２の群内に配置されており、交換レンズ２内を通過してカメラ１側に至る光量を調節する。なお、上記レンズユニット１００〜１０３および絞りユニット１０４により撮影光学系が構成されている。
【００２８】
第１レンズユニット（フォーカスレンズ）１００は、ギアユニット４２からの駆動力を受けて光軸ＡＸＬ上を移動し、焦点調節を行う。
【００２９】
第１、第３、第４レンズユニット（変倍レンズ）１００、１０２、１０３は、撮影者による操作力が不図示の伝達機構により伝達されることによってレンズ光軸ＡＸＬ上を移動し、変倍（ズーミング）を行う。
【００３０】
次に、交換レンズ２のレンズ鏡筒の構造について詳細に説明する。
【００３１】
２１は第１固定筒（直進ガイド部材）であり、カム筒２２の光軸方向への移動を阻止するとともに光軸周りの回転を案内する突起部２１ａと、第２群鏡筒３５を取付けるための取付部２１ｂを備える。
【００３２】
さらに、第１固定筒２１は第３群鏡筒３６および第４群鏡筒３７を直進案内する直進溝２１ｃ−１〜２１ｃ−３（２１ｃ−２、２１ｃ−３は不図示）を備える。加えて、第１固定筒２１はズーム操作環２３の突起部２３ａとバヨネット嵌合し、ズーム操作環２３の光軸周りの回転を案内するガイド溝２１ｄを有する。
【００３３】
また、不図示の回路基板を取付けるための取付部２１ｅと、マウント４１を取付けるための取付部２１ｆ、第２固定筒２４の取付部（不図示）を備え、第１固定筒２１と第２固定筒２４は締結等の方法で固定される。なお、以下では便宜上符号を省略して表記する（２２ｃ−１を２２ｃのように）場合がある。
【００３４】
２２はカム筒である。カム筒２２は、第３群鏡筒３６の光軸方向への移動を案内するためのカム溝２２ｂ−１〜２２ｂ−３（２２ｂ−２、２２ｂ−３不図示）、第４群鏡筒３７の光軸方向への移動を案内するためのカム溝２２ｃ−１〜２２ｃ−３（２２ｃ−２、２２ｃ−３不図示）とを備える。
【００３５】
さらに、カム筒２２は直進筒２６の光軸方向への移動を案内するためのカム溝２２ｄ−１〜２２ｄ−３（２２ｄ−２、２２ｄ−３不図示）と、第２群鏡筒３５の取付部の調整が行える穴部（不図示）を有する。
【００３６】
また、カム筒２２は第１固定筒２１のガイド突起部２１ａに係合するガイド長穴部２２ｅ−１〜２２ｅ−３（２２ｅ−２、２２ｅ−３不図示）と、ズーム操作環２３と係合する連結部材（不図示）の取付部（不図示）を備える。
【００３７】
２３はズーム操作環であり、第１固定筒２１のガイド溝２１ｄと係合し、ズーム操作環２３の光軸周りの回転を案内する突起部２３ａと、ズーム操作環２３の回転とともにカム筒２２を連結回転させるための連結部材（不図示）の係合部（不図示）を備える。
【００３８】
２４は第２固定筒であり、第１固定筒２１とは締結等により固定される。第２固定筒２４はフォーカス環２５の突起部２５ａとバヨネット嵌合してフォーカス環２５の光軸周りの回転を案内するガイド溝２４ａと、カム筒２２の回転を阻止するためのストッパ穴部（不図示）と、ギアユニット４２の出力ギアの回転軸軸受（不図示）を備える。
【００３９】
２５はフォーカス環であり、第２固定筒２４のガイド溝２４ａと嵌合して、光軸周りに回転可能にするための突起部２５ａ−１〜２５ａ−３（２５ａ−２、２５ａ−３は不図示）を備える。
【００４０】
さらに、フォーカス環２５はメスヘリコイド筒２７の突起部２７ａと係合する溝部２５ｂ−１〜２５ｂ−３（２５ｂ−２、２５ｂ−３不図示）、ギアユニット４２の出力ギアと噛み合いフォーカス環２５を光軸周りに回転させるためのギア部（不図示）を有する。
【００４１】
また、フォーカス環２５の光軸に略垂直な方向の変形を抑える補強リング３０があり、フォーカス環２５とカバー部材３１のスナップフィット結合もしくは接着固定もしくは締結等の方法によりフォーカス環２５に一体的に保持される。
【００４２】
なお、補強リング３０はフォーカス環２５よりも剛性の高い材質で形成されている。
【００４３】
２６は直進筒であり、メスヘリコイド筒２７とヘリコイド結合し、所定のリードを持って形成されたヘリコイド溝部２６ａ−１〜２６ａ−３を有している。直進筒２６はカムフォロア２８の当接面２８ｃと当接する当接面２６ｂ−１〜２６ｂ−３（２６ｂ−２、２６ｂ−３は不図示）を備えている。直進筒２６はカムフォロア２８と、その当接面２８ｃとはネジ４４で締結により固定（連結）される。
【００４４】
２７はメスヘリコイド筒であり、フォーカス環２５のガイド溝２５ｂと係合する突起部２７ａ−１〜２７ａ−３（２７ａ−２、２７ａ−３不図示）を備える。さらに、直進筒２６とヘリコイド結合し、所定のリードを持って形成されたヘリコイド突部２７ｂ−１〜２７ｂ−３と、前枠２９を締結するための取付穴部（不図示）を有する。
【００４５】
２９は前枠で、第１群鏡筒３４への締結のための座部（不図示）からなる。さらに、前枠２９は、フィルタ等のアクセサリを装着するためのネジ部２９ａと、フード等のアクセサリを装着するためのツバ部２９ｂを有している。
【００４６】
なお、前枠２９と第１群鏡筒３４の締結は不図示のゴム部材を介して行われ、衝撃や静圧が前枠２９に生じた時に第１群鏡筒３４へ力を伝えにくい構造がとられている。
【００４７】
３２は環状薄板であり、外部からのゴミの侵入を抑えている。
【００４８】
３３は外装環であり、装飾のために内部部品を覆うカバー部材である。
【００４９】
３４は第１群鏡筒であり、メスヘリコイド筒２７との締結のための座部（不図示）と、第１群レンズ１００を保持する保持部３４ａと、からなる。
【００５０】
３５は第２群鏡筒であり、第１固定筒２１と嵌合する嵌合軸部３５ａと、光軸に垂直な平面内でシフトすることで手振れの補正を行うシフト鏡筒３５ｂ、シフト鏡筒３５ｂを駆動させる駆動部材３５ｃ、さらに第２群レンズ１０１を保持する保持部３５ｄとからなる。
【００５１】
３６は第３群鏡筒であり、第３群レンズ１０２を保持する保持部３６ａを備える。さらに、第３群鏡筒３６は第１固定筒２１の直進溝２１ｃとカム筒２２のカム溝部２２ｂに係合して第３群鏡筒３６を光軸方向に案内する第３群カムフォロア３８−１〜３８−３の取付部３６ｂ−１〜３６ｂ−３（３６ｂ−２、３６ｂ−３不図示）を有する。また、絞り装置３９の取付部（不図示。通常、スナップフィット結合やネジによる締結等により固定される）を有する。尚、カムフォロア３８−２、３８−３、そして取付部３６ｂ−２、３６ｂ−３は不図示である。
【００５２】
なお、絞り装置３９は第３群鏡筒３６の群内に配置され、複数の絞り羽根３９ａ、駆動部材３９ｂ及びカバー部材３９ｃから構成される。
【００５３】
３７は第４群鏡筒であり、第４群レンズ１０３を保持する保持部３７ａを備える。さらに、第４群鏡筒３７は第１固定筒２１の直進溝２１ｃとカム筒２２のカム溝部２２ｃに嵌合して第４群鏡筒３７を光軸方向に案内する第４群カムフォロア４０−１〜４０−３の取付部３７ｂ−１〜３７ｂ−３を有する。尚、カムフォロア４０−２、４０−３、取付部３７ｂ−２、３７ｂ−３は不図示である。
【００５４】
４１はマウント部材で、開口部４１ａと、カメラ本体への取付けのためのツバ部４１ｂと、第１固定筒２１との締結のための座部４１ｃからなる。
【００５５】
４２はフォーカス環２５を光軸周りに回転させるためのギアユニットで、不図示の駆動源と、複数のギア部（４２ａ）と、それらにより減速されて駆動される出力ギア（不図示）とからなる。
【００５６】
また、出力ギアは、フォーカス環２５のギア部と噛み合う。駆動源と電気回路基板とは、フレキシブルプリント基板等で接続されていて、電気回路からの駆動信号により、駆動源を駆動させるようになっている。
【００５７】
なお、ギアユニット４２には不図示の断続機構が設けられ、オートフォーカス、マニュアルフォーカスの切換えを前記機構にて行う。
【００５８】
フレキシブルプリント基板は、その一端が絞り装置３９に接続され、他方が電気回路基板に接続されている。電気回路からの駆動信号により、絞り羽根３９ａは駆動される。
【００５９】
さらに、他のフレキシブルプリント基板は、その一端が第２群鏡筒３５の駆動装置３５ｃに接続され、他方が電気回路基板に接続されている。電気回路からの駆動信号により、シフト鏡筒３５ｂは駆動される。
【００６０】
４３は接点部材で、その片端が電気回路基板に接続されている接点部４３ａを有し、カメラ本体に取付けた時にカメラ本体の接点部と接触して、カメラ本体との情報伝達を行うようになっている。
【００６１】
また、不図示ではあるが、レンズ内の種々の駆動のための演算およびカメラとの情報伝達の処理を行う電気回路基板を有する。
【００６２】
このような構成のレンズ鏡筒において、不図示のレリーズボタンの操作がなされると、オートフォーカス、露出決定動作の後、撮像素子の露光及び取得された画像の記録動作がなされる。
【００６３】
以上が個々の部材の説明である。
【００６４】
次に、本発明に関わる主な部品の相互関係について説明する。
【００６５】
図２は、図１のレンズ鏡筒の一部分の拡大図であり、複数あるカムフォロア２８、３８、４０のうち、例として１つのカムフォロア２８と、それに関連する主要部品の断面図を示している。カムフォロア２８は、カム筒２２のカム溝２２ｄと係合するコロ部２８ａと第１固定筒２１の直進溝２１ｃに係合する溝方向に延出したキー部２８ｂを有している。
【００６６】
さらに、カムフォロア２８のコロ部２８ａには直進筒２６の当接面２６ｂと当接する当接面２８ｃ（図３の斜線部）を備えている。ネジ４４による締結により直進筒２６とカムフォロア２８は固定される。
【００６７】
当接面２８ｃは表面が粗面となっており、滑らかな面に比べて摩擦係数が高くなるようにしている。
【００６８】
なお、キー部２８ｂと当接面２８ｃは一体の部材であり、金属等の剛性が高い材質からなる。コロ部２８ａは樹脂等の摺動性が良い材質からなり、前記一体の部材に対してインサート成形を行うことで形成される。さらに、コロ部２８ａ及び前記一体の部材の形状は、カム溝２２ｄと係合する範囲において僅かに段差を設け（コロ部２８ａ側の外径が大きい）、耐衝撃性を得る構造としている。この構造は、衝撃や落下でコロ部２８ａが変形した場合にカム溝２２ｄと前記一体の部材が突き当たるようにし、コロ部２８ａの塑性変形や打痕等で摺動性が悪化することを防止している。なお、通常の使用状態ではカム溝２２ｄとコロ部２８ａが係合するため良好な摺動性が得られる。
【００６９】
次に、カムフォロア２８の機能について説明する。ズーム操作環２３が操作されると、ズーム操作環２３に係合する連結部材（不図示）がカム筒２２に回転を伝達する。カム筒２２の回転により直進筒２６は、カムフォロア２８を介して直進溝２１ｃとカム溝２２ｄの相対関係に従いながら、移動する。即ち直進筒２６とカム部材２２は相対移動する。この結果、直進筒２６は光軸方向へ繰り出す。これによりレンズを保持する直進筒２６の光軸方向の駆動を行っている。
【００７０】
図３は本実施例に係るカムフォロア２８の形状を示した説明図である。本実施例においては、カムフォロア２８のコロ部２８ａに設けた当接面２８ｃの外形のうち少なくとも一部は、カム筒２２のカム溝２２ｄに内接する円（図３の破線）よりも大きくしている。これにより、カムフォロア２８を直進筒２６と締結した際の食い込みが生じにくくなりカムフォロアの倒れを抑制することが出来る。
【００７１】
なお、本実施例ではキー部２８ｂと当接部２８ｃが金属で、コロ部２８ａが樹脂である場合について説明したが、キー部、当接部、コロ部は一体の部材であっても良い。
【実施例２】
【００７２】
本実施例では、実施形態１であるレンズ鏡筒におけるカムフォロア２８の当接面２８ｃの形状を図４のように変更したものである。具体的な本実施例の特徴は、カムフォロア２８の当接面２８ｃの外形が各交角における前記カム溝２２ｄの軌跡を重ねて形成される範囲の境界に沿う形状としたことである。
【００７３】
更に当接面２８ｃ上にスパイク状、円錐状、凸形状等の突起２８ｄを設けたことである。なお、突起は直進筒２６の当接面２６ｂ側に設けてもよく、又、双方に設けても良い。又突起２８ｄの形状や個数は図４に限定されず、どのような形状であっても良い。
【００７４】
なお、当接面２８ｃは前述の通り剛性の高い材質で構成されているため、当接面２８ｃに形成される形状（例えば本実施例における突起）が変形しにくく、前記形状の機能を発揮しやすいという利点がある。
【００７５】
図５は当接面２８ｃの外形形状を説明する図である。図５は、カムフォロア２８がカム溝２２ｄに沿って移動する際のカムフォロア２８側から見たカム溝２２ｄの軌跡を示している。図中、２２ｄ−１−１はカム溝２２ｄの各領域における交角のうち交角が最も大きいものであり、２２ｄ−１−２は交角が最も小さいものである。
【００７６】
本実施例では、当接面２８ｃのカム溝２２ｄと係合する外形状２８ｃ１、２８ｃ２をカム溝２２ｄの軌跡を合わせて形成される範囲の境界に沿った形状にしている。これによりカムフォロア２８のコロ部２８ａのカム溝２２ｄへの組込が可能で且つ当接面２８ｃの面積を出来るだけ大きくしている。
【００７７】
本実施例のように当接面２８ｃの面積を極力大きくとる（例えば、内接円２８ｄの面積より大きくする）ことで、カムフォロア２８と直進筒２６とを締結した際のカムフォロア２８の倒れを実施例１よりもさらに抑制することが容易となる。
【００７８】
さらに、当接面２８ｃ上に、１以上のスパイク形状や凸形状や円錐形状や円柱形状等の突起２８ｄを設けることでカムフォロア２８と直進筒２６の締結中もしくは締結後にカムフォロア２８の回転止めの機能が発揮される。
【００７９】
従って、締結前に回転止めが行われるのと比較して、直進溝２１ｃの等分差等を考慮した場合、カムフォロア２８のキー部２８ｂと直進筒２１ｃの係合関係が不安定になりにくい。
【実施例３】
【００８０】
本実施例では、実施形態１におけるレンズ鏡筒におけるカムフォロア２８のコロ部２８ａを図６のように変更したものである。具体的な特徴は、カムフォロア２８の当接面２８ｃの外形は各交角における前記カム溝の軌跡を重ねて形成される範囲の境界に沿った形状であること（実施例２と同じ）、及び当接面２８ｃの表面をあらし粗面としたことにある。
【００８１】
なお、表面を荒らし粗面とするのは直進筒２６の当接面２６ｂであってもよく、又、双方であっても良い。
【００８２】
また図６のように当接面が全て粗面でなくても一部であってもよい。このような構成により、実施例２と同様にカムフォロア２８と直進筒２６の締結時の倒れ、及び回転止めを良好に行うことが出来る。
【００８３】
以上説明したように、上記各実施例によれば、カムフォロア２８と直進筒２６とが当接する当接面２８ｃの外形部の一部をカム溝の内接円より大きくしている。これにより、例えば当接面の面積を増やすことが可能となる。又、当接面に突起２８ｄを設けたことにより、直進筒２６に設けたカムフォロア２８の倒れや回転を効果的に防止することが出来る。
【００８４】
なお、上記各実施例においてはカムフォロア２８をズーム機構の一部に用いたが、本発明はそれに限定されるものではない。例えば、フォーカス機構の一部にカムフォロアを用いても良い。
【００８５】
さらに、本実施例は、レンズ交換式デジタル一眼レフカメラのレンズ鏡筒について説明したが、本発明は、レンズ一体側のデジタルカメラ、さらにはビデオカメラ等のレンズ鏡筒にも同様に適用することができる。
【図面の簡単な説明】
【００８６】
【図１】レンズ交換式デジタル一眼レフカメラ及びレンズ鏡筒の実施例１の断面図
【図２】図１のカムフォロアとその周辺に関連する主要部品の拡大図
【図３】図１のカムフォロア２８の説明図
【図４】実施例２のカムフォロアの説明図
【図５】実施例２におけるカムフォロアの当接面２８ｃの形状の説明図
【図６】実施例３のカムフォロアの説明図
【符号の説明】
【００８７】
１：カメラ
２：交換レンズ（レンズ鏡筒）
３：メインミラー
４：サブミラー
５：焦点検出ユニット
６：撮像素子
７：ペンタプリズム
８：接眼レンズ
９：ディスプレイパネル
１００：第１レンズユニット
１０１：第２レンズユニット
１０２：第３レンズユニット
１０３：第４レンズユニット
１０４：絞りユニット
２１：第１固定筒
２２：カム筒
２３：ズーム操作環
２４：第２固定筒
２５：フォーカス環
２６：直進筒
２７：メスヘリコイド筒
２８：カムフォロア
２９：前枠
３０：補強リング
３１：カバー部材
３２：環状薄板
３３：外装環
３４：第１群鏡筒
３５：第２群鏡筒
３６：第３群鏡筒
３７：第４群鏡筒
３８：第３群カムフォロア
３９：絞り装置
４０：第４群カムフォロア
４１：マウント部材
４２：ギアユニット
４３：接点部材
４４：ネジ（直進筒２６とカムフォロア２８の締結用）
【図１】
0005046784.tif 000002
【図２】
0005046784.tif 000003
【図３】
0005046784.tif 000004
【図４】
0005046784.tif 000005
【図５】
0005046784.tif 000006
【図６】
0005046784.tif 000007